(57)【要約】【課題】薄型化と小型化を図りつつ、確実にディスクを装着できるディスク装置を提供すること。【解決手段】トラバースユニットを上下動作させ、スピンドルモータをベース本体側または蓋体側に近接させ、スピンドルモータと蓋体でディスクを押圧することによりスピンドルモータにディスクを装着させるディスク装置であって、スピンドルモータを上昇させた時、蓋体の凸部の先端面に傾斜角を持たせ、蓋体の凸部の先端面とスピンドルモータのとが略平行となるように構成し、安定したディスク装着可能としたことを特徴とするディスク装置。【選択図】        図４
2005122847.tif 000002
【特許請求の範囲】
【請求項１】
ベース本体と蓋体とからシャーシ外装を構成し、前記シャーシ外装のフロント面にディスクを直接挿入するディスク挿入口を形成し、前記ベース本体にトラバースを設け、前記ディスクを載置する回転台を備えたスピンドルモータを前記トラバースによって保持し、前記トラバースを昇降装置により片側傾斜移動させることで、前記回転台を前記蓋体側に近接させ、前記回転台と対向する位置でこの回転台に向かって突出するように前記蓋体側に設けられた凸状部によって、前記回転台の上に置かれたディスクを前記回転台側に押圧して前記回転台に装着させるディスク装置において、前記凸状部の先端部が、前記トラバースが前記蓋体に近接した時に、前記回転台の面に対して略平行となるように、前記凸状部の先端部を前記蓋体に対して傾斜させて形成したことを特徴とするディスク装置。
【請求項２】
前記凸状部を、前記蓋体の絞り加工により前記蓋体と一体に形成したことを特徴とする請求項１に記載のディスク装置。
【請求項３】
前記凸状部の先端部の前記ディスク挿入口側を、前記回転台に近接する方向に傾斜させたことを特徴とする請求項１または請求項２に記載のディスク装置。
【発明の詳細な説明】
【技術分野】
【０００１】
本発明は、ＣＤやＤＶＤなどのディスク状の記録媒体への記録、または再生を行うディスク装置に関し、特に外部からディスクを直接挿入し、または直接排出できる、いわゆるスロットイン方式のディスク装置に関する。
【背景技術】
【０００２】
スロットイン方式のディスク搬送方式には、ローラ方式とアーム方式があるが、ディスク搬送時にトラバース（スピンドルモータ）とある一定のクリアランスを設けるために両者共、トラバースユニットを昇降させている。その方法として、上下平行移動方式と、ディスク挿入口側に設けた回転中心軸を中心に片側のみを回転上下動させる、いわゆる片側傾斜移動方式がある。また、トラバースユニットを固定とし、クランパーを上下させる場合もある。このような機構においては、ディスクをスピンドルモータの回転台に装着する方法として、クランパー方式もしくはツメチャック方式あるいはボールチャック方式がある。近年、パーソナルコンピュータの小型化に伴い、ディスク装置も小型化、薄型化が求められている。スロットイン方式のディスク装置で薄型化を図る場合、上記クランパー方式ではスペースが少なく構成が困難であるため、ディスクをディスク装置の蓋体に設けた凸状部に押圧し、この反力にてディスクをスピンドルモータの回転部分に設けたツメやボールにて保持させて装着するツメチャック方式あるいはボールチャック方式が用いられている（例えば特許文献１）。
【特許文献１】特開２００２−３５２４９７号公報（第１２−１４図）
【発明の開示】
【発明が解決しようとする課題】
【０００３】
ディスク挿入口側に設けた回転中心軸を中心に、片側のみを回転上下動させる、いわゆる片側傾斜移動方式においては、スピンドルモータを備えたトラバースユニットを昇降させて、ディスクをディスク装置の蓋体に設けた凸状部に押圧し、この反力にてディスクをスピンドルモータの回転部分に設けたツメやボールにて保持させて装着するが、この際に、蓋体に対してスピンドルモータの回転台が傾斜した状態となる。
図６は、この状態を説明するための従来技術におけるディスク装置の要部断面図、図７は、同ディスク装置の蓋体の要部断面図であり、ディスク１４のスピンドルモータ１への装着動作状態を示している。トラバース２は、ディスク挿入後、フロント側の回転支持軸Ｘを支点としてスピンドルモータ１が蓋体４００に近接する方向に変位する。スピンドルモータ１側を蓋体４００に最も近接する方向に動作させた時、図に示すように、ディスク１４は蓋体４００に当接し、スピンドルモータ１と蓋体４００とによって押圧される。この押圧力によってディスク１４の中心孔にスピンドルモータ１のハブ１ａに設けたツメやボール（図示せず）が嵌合し、ハブ１ａと回転台１ｂにディスク１４が装着される。
しかし、蓋体４００に設けた凸状部４０１は蓋体４００と平行に突出させて構成されており、フロント側の回転支持軸Ｘを支点としてスピンドルモータ１が蓋体４００に近接する方向に変位するため、図に示すようにトラバース２が蓋体４００に最も近接した時は、スピンドルモータ１のディスクを受ける回転台１ｂの上面は、蓋体の凸状部４０１の先端面に対して傾斜した状態となり、角度A°を持つことになる。このため、凸状部４０１先端の一部のみがディスクに当たり、そのほかの部分には隙間Ｂができ、ディスク１４を均一に押圧できず、ディスクがハブ１ａと回転台１ｂに確実に嵌まらず、いわゆるクランプミスを起こすことがあった。
【０００４】
そこで本発明は、装置の薄型化を図りつつ、スピンドルモータの回転台へのディスクの装着動作を確実に行うことができるディスク装置を提供することを目的とする。
【課題を解決するための手段】
【０００５】
請求項１記載のディスク装置は、ベース本体と蓋体とからシャーシ外装を構成し、前記シャーシ外装のフロント面にディスクを直接挿入するディスク挿入口を形成し、前記ベース本体にトラバースを設け、前記ディスクを載置する回転台を備えたスピンドルモータを前記トラバースによって保持し、前記トラバースを昇降装置により片側傾斜移動させることで、前記回転台を前記蓋体側に近接させ、前記回転台と対向する位置でこの回転台に向かって突出するように前記蓋体側に設けられた凸状部によって、前記回転台の上に置かれたディスクを前記回転台側に押圧して前記回転台に装着させるディスク装置において、前記凸状部の先端面が、前記トラバースが前記蓋体に近接した時に、前記回転台の面に対して略平行となるように、前記凸状部の先端部を前記蓋体に対して傾斜させて形成したことを特徴とする。
請求項２記載の本発明は、請求項１記載の本発明のディスク装置において、前記凸状部を、前記蓋体の絞り加工により前記蓋体と一体に形成したことを特徴とする。
請求項３記載の本発明は、請求項１または請求項２記載の本発明のディスク装置において、前記凸状部の先端部のディスク挿入口側を、前記回転台に近接する方向に傾斜させたことを特徴とする。
【発明の効果】
【０００６】
本発明のディスク装置によれば、ディスク装置の薄型化を図りつつも、確実にディスクを装着することが可能となる。特に本発明は、蓋体に設けた凸状部の先端面が、トラバースが蓋体に近接した時に、回転台の面に対して略平行となるように、凸状部の先端部を蓋体に対して傾斜させて形成したことで、スピンドルモータ上のディスクと凸状部の先端面は略平行となり、効率的に力が伝達され、安定したディスクの装着が可能となる。また本発明は、蓋体の絞りを一体形成することで蓋体の強度を向上することができ、さらなるシャーシ外装の薄型化を図ることが出来る。
【発明を実施するための最良の形態】
【０００７】
本発明の第１の実施の形態によるディスク装置は、凸状部の先端面が、トラバースが蓋体に近接した時に、回転台の面に対して略平行となるように、凸状部の先端部を蓋体に対して傾斜させて形成しているため、ディスクと凸状部の先端面は略平行となり、ディスクに対して凸状部の押圧力が効率的に伝達され、安定したディスクの装着が可能となる。
本発明の第２の実施形態は、第１の実施形態において、凸状部を、蓋体の絞り加工により蓋体と一体に形成しており、蓋体の強度を向上することができ、さらなるシャーシ外装の薄型化を図ることが出来る。
本発明の第３の実施形態では、第１または第２の実施形態において、凸状部の先端部のディスク挿入口側を、回転台に近接する方向に傾斜させることで、挿入口からのディスクの出し入れをスムースに、より確実に行うことを可能にする。
【実施例】
【０００８】
図１は、本発明の一実施の形態におけるディスク装置のベース本体の平面図、図２は、同ディスク装置の蓋体の平面図、図３は、同ディスク装置のシャーシ外装のフロント面に装着されるベゼルの正面図、図４は、同ディスク装置の要部断面図、図５は、同ディスク装置の蓋体の要部断面図である。
本実施例によるディスク装置は、ベース本体１００と蓋体２００とからシャーシ外装が構成され、このシャーシ外装のフロント面にベゼル３００が装着される。また本実施例によるディスク装置は、図３に示すベゼル３００に設けたディスク挿入口３０１からディスクを直接挿入するスロットイン方式のディスク装置である。ベース本体１００のフロント側にはディスクを直接挿入するため、ディスク挿入口３０１に対応して挿入スペース１０１を形成している。
スピンドルモータ１は、トラバース２により保持されている。スピンドルモータ１はトラバース２の一端側に設けられ、トラバース２の他端側は挿入スペース１０１側において、回転支持軸Ｘにより回転可能に支持されている。また、ベース本体１００には、ディスク排出レバー４とディスク挿入レバー５とが設けられており、ディスクの挿入・排出動作はこれらのレバーによってなされる。すなわち、ローディングモータ６を駆動し、この駆動力が歯車群７を介してスライダー群８を移動させ、スライダー群８に設けた溝カム等とピン（図示せず）による公知の機構により行なわれる。
【０００９】
図２は蓋体２００を示し、蓋体２００には、スピンドルモータ１の回転台１ｂに対向する位置において、この回転台１ｂに向かって突出するように凸状部１２が設けられている。蓋体２００の外縁部には、複数のビス孔１５が設けられ、蓋体２００は、ビスによってベース本体１００に取り付けられる。蓋体２００の中央部（凸状部１２の中央）には、開口部２０１が設けられている。この開口部２０１は、ディスク１４の中心孔よりも大きな半径の円形開口である。従って、ディスクの中心孔に嵌合するスピンドルモータ１のハブ１ａよりも大きな開口である。
【００１０】
図４は、ディスク１４のスピンドルモータ１への装着動作状態を示している。トラバース２は、ディスク挿入後、フロント側の回転支持軸Ｘを支点としてスピンドルモータ１が蓋体４００に近接する方向に変位する。スピンドルモータ１側が蓋体４００に最も近接する方向に動作させた状態の時、図４に示すようにディスク１４は、蓋体４００に当接し、スピンドルモータ１と蓋体４００とによって押圧される。この押圧力によってディスク１４の中心孔にスピンドルモータ１のハブ１ａに設けたツメやボール（図示せず）が嵌合し、ハブ１ａと回転台１ｂにディスク１４が装着される動作を行う。ディスク装着が完了すると、トラバース２は、スピンドルモータ１側が蓋体４００から離れる方向に動作する。
これらの動作は、ローディングモータ６を駆動し、スライダー群８を移動することによって行われる。この場合、ローディングモータ６と、これに連結されてローディングモータ６の駆動力をスライダー群８に伝える歯車群７と、スライダー群８およびスライダー群８に設けた溝カム等とピン（図示せず）の公知の機構によって、トラバース２の昇降装置が構成されており、本発明の実施の形態においてもまた同様の昇降装置の構成が用いられる。
【００１１】
図４、図５に示すように、本実施例では、蓋体２００に回転台１ｂに向かって突出するように凸状部１２が設けられ、凸状部１２の開口部側部分１２ａと反対側１２ｂの箇所の高さを変化させ、かつ角度A°だけ傾斜させている。これにより、トラバース２が蓋体２００に最も近接した時、スピンドルモータ１のディスク受け面（すなわち回転台１ｂの上面）が蓋体２００に対して成す傾斜面と凸状部１２の先端面とは略平行となる。すなわち、凸状部１２の先端面（トラバース２に対向する面）は角度A°だけ蓋体２００に対して傾斜させ、絞り加工などにより形成されている。この凸状部１２の先端面の傾斜によって、凸状部１２の先端面とディスク１４との間に隙間が生じにくく、このためスピンドルモータ１と凸状部１２の先端面によってディスク１４が均一に押圧される。これによって、ディスク１４がハブ１ａと回転台１ｂに安定して装着される。
【産業上の利用可能性】
【００１２】
本発明は、ディスク装置の薄型化を図りつつも、確実にディスクを装着することが可能となるので、表示手段と入力手段と演算処理手段などを一体化した、いわゆる薄型のノートパソコン本体に内蔵、または一体的にセットされるディスク装置として特に有用である。
【図面の簡単な説明】
【００１３】
【図１】本発明の一実施例によるディスク装置のベース本体の平面図
【図２】同ディスク装置の蓋体の平面図
【図３】同ディスク装置のシャーシ外装のフロント面に装着されるベゼルの正面図
【図４】同ディスク装置の要部断面図
【図５】同ディスク装置の蓋体を示す要部断面図
【図６】従来技術におけるディスク装置の要部断面図
【図７】同ディスク装置の蓋体の要部断面図
【符号の説明】
【００１４】
１    スピンドルモータ
１ｂ  回転台
２    トラバース
４    排出レバー
５    挿入レバー
６    ローディングモータ
８    スライダー群
１２  凸状部
１４  ディスク
１００  ベース本体
２００  蓋体
２０１  蓋体開口部
３００  ベゼル
３０１  ディスク挿入口
Ｘ    回転支持軸
【図１】
2005122847.tif 000003
【図２】
2005122847.tif 000004
【図３】
2005122847.tif 000005
【図４】
2005122847.tif 000006
【図５】
2005122847.tif 000007
【図６】
2005122847.tif 000008
【図７】
2005122847.tif 000009